(57)【特許請求の範囲】
【請求項１】
医用画像を撮影して読影を行う画像診断の検査であり、同一の被検体に対して所定の期間を空けてほぼ同じ条件の検査が複数回実施された際に、過去の検査のそれぞれに対して作成された複数の過去レポートを基に、現在の検査に対する現在レポートの作成を支援するレポート作成支援システムにおいて、
前記各過去レポートには、検査結果に関するコメントを記入する記入欄を患部毎に複数個設けることが可能であり、
前記各過去レポートに記入された同一患部に関する所見を含むコメント同士を関連付けた関連付け情報を作成する関連付け情報作成手段と、
前記関連付け情報を基に、前記各過去レポートのそれぞれに前記各患部に関するコメントが記入されているか否かを判定し、前記コメントが記入されていることを示すマークを時系列で表示する一覧表を作成する一覧表作成手段とを備えたことを特徴とするレポート作成支援システム。
【請求項２】
前回の検査の前記過去レポートに記入された前記コメントを、前記記入欄ごとコピーすることにより、前記現在レポートを作成するためのテンプレートを作成するテンプレート作成手段を設けたことを特徴とする請求項１記載のレポート作成支援システム。
【請求項３】
前記関連付け情報作成手段は、前記各記入欄を識別することによって、同じ患部に関する、前回の検査の前記過去レポートに記入された前記コメントと前記現在レポートに記入された前記コメントとを関連付けることを特徴とする請求項２記載のレポート作成支援システム。
【請求項４】
前記一覧表作成手段は、前記各レポートのそれぞれの前記コメントに数値情報が含まれている場合、その数値情報を抽出して、前記マークとともに対応する欄に記入することを特徴とする請求項１から３のいずれか１項に記載のレポート作成支援システム。
【請求項５】
前記テンプレート作成手段は、前回の検査で初めて発症した患部の前記コメントに対応する前記記入欄を強調表示する機能を有していることを特徴とする請求項１から４のいずれか１項に記載のレポート作成支援システム。
【請求項６】
前記テンプレート作成手段は、再発した患部の前記コメントに対応する前記記入欄に対して注意を促すための忠告文を表示する機能を有していることを特徴とする請求項１から５のいずれか１項に記載のレポート作成支援システム。
【請求項７】
医用画像を撮影して読影を行う画像診断の検査に対してまとめられるレポートの作成を、コンピュータを利用して支援するレポート作成支援方法であり、同一の被検体に対して所定の期間を空けてほぼ同じ条件の検査が複数回実施された際に、過去の検査のそれぞれに対して作成された複数の過去レポートを基に、現在の検査に対する現在レポートの作成を支援するレポート作成支援方法において、
前記各過去レポートには、検査結果に関するコメントを記入する記入欄を患部毎に複数個設けることが可能であり、
前記各過去レポートに記入された同一患部に関する所見を含むコメント同士を関連付けた関連付け情報を作成する関連付け情報作成ステップと、
前記関連付け情報を基に、前記各過去レポートのそれぞれに前記各患部に関するコメントが記入されているか否かを判定し、前記コメントが記入されていることを示すマークを時系列で表示する一覧表を作成する一覧表作成ステップとを前記コンピュータに実行させるレポート作成支援方法。
【発明の詳細な説明】
【技術分野】
【０００１】
本発明は、ほぼ同じ条件の検査が複数回実施された際に、複数の過去レポートを基に、現在レポートの作成を支援するレポート作成支援システム、及びレポート作成支援方法に関する。
【背景技術】
【０００２】
病院などの医療施設において、ＣＲ（Computed Radiography）装置、ＣＴ（Computed Tomography：コンピュータ断層撮影）装置、ＭＲＩ（Magnetic Resonance Imaging：磁気共鳴映像）装置、ＰＥＴ（Positron Emission Tomography：ポジトロン断層撮影）装置、超音波診断装置などといった様々な医療検査装置（モダリティ）が普及している。モダリティによって撮影された医用画像は、医師が患者を診断する際などに用いられ、患者の症状を確定する上で大きな役割を担っている。
【０００３】
一般に、各診療科に在籍する医師は、医用画像を基に診断を行う際、その医用画像の読影を放射線科などの検査部門に依頼する。検査部門に在籍する医師は、依頼された医用画像の読影を行い、その結果をレポート（以下、読影レポートと称す）にまとめて依頼元の医師に報告する。各診療科の医師は、この読影レポートを基に患者に対する最終的な診断を行い、診断を確定する。
【０００４】
近年、医療分野では、業務の効率化を図るため、医用画像やカルテなどの電子化が進められている。こうした情勢の下、上述のような読影業務をオンラインで行えるようにしたシステムも、例えば、特許文献１や２などによって知られている。
【０００５】
ところで、病院などの医療施設では、病状の経過を観察するため、３ヶ月、６ヶ月、あるいは１年などの期間を空け、患者に対して検査を実施している。こうした経過観察の検査に関する読影レポートを作成する場合には、過去の検査で読み取られた患部の症状の変化などが所見として記入される。このため、過去の検査で作成された読影レポートを利用することによって、現在の検査の読影レポートの作成を支援するシステムが、従来より種々考案されている。
【０００６】
例えば、特許文献１では、記入される所見を所定の分類項目毎に分けて読影レポートを作成し、経過観察の検査に関する複数の過去のレポートを表示する際に、分類項目毎に所見を表示できるようにすることにより、医師の所望する情報を容易に抽出できるようにしている。また、特許文献２では、経過観察の検査に関する複数の過去のレポートを表示する際に、１回前の検査のレポートとの所見の変更箇所を並べて表示することにより、所見の変化、すなわち病状の変化を容易に把握できるようにしている。このように、各特許文献１、２では、過去のレポートを参照しやすくし、読影を行う医師に経過観察の経緯を的確、かつ迅速に把握させることによって、現在の検査の読影レポートを効率よく作成できるようにしている。
【特許文献１】特開２００２−０９２１５９号公報
【特許文献２】特開２００７−１２２６７９号公報
【発明の開示】
【発明が解決しようとする課題】
【０００７】
ところで、経過観察の各検査で読み取られる患部は、１つであるとは限らない。例えば、患者が癌である場合などには、原発巣と転移巣などのように複数の患部が読み取られることも少なくない。この際、特許文献１では、各患部を分類項目に設定することで、患部毎の所見を表示することができるものの、患部毎に逐一表示を切り替えなければならないため、各患部の経時的な変化が分かり難いという問題がある。
【０００８】
また、特許文献２では、所見の経時的な変化を容易に把握できるものの、単純に所見の変更箇所を抽出しているだけであるので、患部が複数ある場合には、どの患部に対する変更箇所であるかが分からないという問題がある。このため、経過観察の各検査によって複数の患部が読み取られた際にも、各患部の経時的な変化を容易に認識できるようにしたいという要望が強い。
【０００９】
本発明は、上記課題を鑑みてなされたものであって、経過観察の各検査によって複数の患部が読み取られた際にも、各患部の経時的な変化を容易に認識できるようにすることにより、現在の検査の読影レポートの作成を支援することを目的とする。
【課題を解決するための手段】
【００１０】
上記課題を達成するため、同一の被検体に対して所定の期間を空けてほぼ同じ条件の検査が複数回実施された際に、過去の検査のそれぞれに対して作成された複数の過去レポートを基に、現在の検査に対する現在レポートの作成を支援する本発明のレポート作成支援システムは、前記各過去レポートに記入された検査結果に関するコメントの同じ項目同士を関連付けた関連付け情報を作成する関連付け情報作成手段と、前記関連付け情報を基に、前記検査結果の経時的な変化を前記項目毎にまとめた一覧表を作成する一覧表作成手段とを備えたことを特徴とする。
【００１１】
なお、前回の検査の前記過去レポートに記入された前記コメントをコピーすることにより、前記現在レポートを作成するためのテンプレートを作成するテンプレート作成手段を設けると、さらに好適である。
【００１２】
また、前記各レポートに、前記コメントを記入するための記入欄が前記項目毎に設け、前記テンプレート作成手段は、前記各記入欄ごと前記コメントをコピーして前記テンプレートを作成し、前記関連付け情報作成手段は、前記各記入欄を識別することによって、前回の検査の前記過去レポートに記入された前記コメントと前記現在レポートに記入された前記コメントとの同じ項目同士を関連付けることが好ましい。
【００１３】
さらに、前記一覧表作成手段は、前記各レポートのそれぞれに前記各項目に対する前記コメントが記入されているか否かを判定し、前記コメントが記入されていることを示すマークを対応する欄に入力することによって前記一覧表を作成することが好ましい。
【００１４】
なお、前記一覧表作成手段は、前記各レポートのそれぞれの前記コメントに数値情報が含まれている場合、その数値情報を抽出して対応する欄に入力することが好ましい。
【００１５】
また、前記テンプレート作成手段は、特定の項目の前記記入欄を強調表示する機能を有していることが好ましい。
【００１６】
さらに、前記テンプレート作成手段は、特定の項目の前記記入欄に対して注意を促すための忠告文を表示する機能を有していることが好ましい。
【００１７】
なお、前記各検査は、医用画像を撮影して読影を行う画像診断の検査であり、前記各項目には、前記医用画像から読み取られた特徴点が含まれることが好ましい。
【００１８】
また、同一の被検体に対して所定の期間を空けてほぼ同じ条件の検査が複数回実施された際に、過去の検査のそれぞれに対して作成された複数の過去レポートを基に、現在の検査に対する現在レポートの作成を支援する本発明のレポート作成支援方法は、前記各過去レポートに記入された検査結果に関するコメントの同じ項目同士を関連付けた関連付け情報を作成するステップと、前記関連付け情報を基に、前記検査結果の経時的な変化を前記項目毎にまとめた一覧表を作成するステップとを有することを特徴とする。
【発明の効果】
【００１９】
本発明では、各過去レポートに記入された検査結果に関するコメントの同じ項目同士を関連付けた関連付け情報を作成し、この関連付け情報を基に、検査結果の経時的な変化を項目毎にまとめた一覧表を作成するようにした。これにより、経過観察の各検査によって読み取られた複数の患部を項目として一覧表を作成することで、各患部の経時的な変化を容易に認識することができる。
【発明を実施するための最良の形態】
【００２０】
図１は、病院などの医療施設に構築される医用ネットワークシステム（レポート作成支援システム）２の構成を概略的に示す説明図である。医用ネットワークシステム２は、外科や内科などの各診療科４に設置された複数台の診療科端末１０と、放射線科などの検査部門６に設置された読影レポート作成端末１２と、各診療科端末１０と読影レポート作成端末１２とを相互に接続するＬＡＮ（Local Area Network）１４とで構成されている。また、ＬＡＮ１４には、検査部門６に設置されたモダリティ１６、医療施設内の種々の情報を管理する情報管理サーバ１８、モダリティ１６が取得した医用画像２２を保管する画像サーバ２０、及び医用画像２２を読影した際の所見などが記入された読影レポート２６を保管するレポートサーバ２４が接続されている。
【００２１】
各診療科４に在籍する医師は、患者の診断を行う際、必要に応じて検査部門６に検査を依頼する。検査部門６では、各診療科４からの依頼に応じて患者の医用画像２２を取得するとともに、その医用画像２２の読影を行う。検査部門６に在籍する医師（以下、読影医と称す）は、医用画像２２の読影を行うと、その結果を読影レポート２６にまとめて依頼元の医師（以下、依頼医と称す）に報告する。そして、依頼医は、検査部門６からの読影レポート２６を基に最終的な診断を行い、診断を確定する。医用ネットワークシステム２は、各診療科端末１０と読影レポート作成端末１２とをＬＡＮ１４を介して接続し、検査依頼と読影結果の報告とをオンラインで行えるようにすることで、当該医療施設における業務の効率化を図る。なお、モダリティ１６には、例えば、ＣＲ装置、ＣＴ装置、ＭＲＩ装置などといった周知の医用検査装置が用いられる。また、読影レポート作成端末１２、モダリティ１６、情報管理サーバ１８、画像サーバ２０、レポートサーバ２４などは、ＬＡＮ１４に複数台接続されていてもよい。
【００２２】
情報管理サーバ１８は、例えば、ＨＩＳ（Hospital Information System：病院情報システム）サーバや、ＲＩＳ（Radiology Information System：放射線科情報システム）サーバである。情報管理サーバ１８は、患者情報、診療情報、検査情報、会計情報などといった各種の情報を患者毎に管理する。なお、患者情報は、各患者の個人情報を表すものであり、例えば、患者氏名、患者ＩＤ、現住所、生年月日、年齢、性別、家族構成、及び既往歴やアレルギーの有無などが含まれる。
【００２３】
診療情報は、患者に対しての診療の情報であり、例えば、診療日付、診療科、傷病名、診断結果、治療期間、投薬の種類及び量、処方薬局名などが含まれる。なお、治療期間とは、同一傷病に関して医療施設に通院した期間である。検査情報は、診断に際して撮影された医用画像などの情報であり、例えば、検査日付、検査機器、検査方法、検査部位などが含まれる。なお、検査方法とは、正面及び側面などの撮影に対する患者の向きや、造影剤の有無などである。また、検査部位とは、検査の対象となっている頭部、頸部、胸部、腹部、骨盤部、脚部、及びこれらの一部が重複した頭頸部や胸腹部などである。さらに、会計情報には、例えば、診察費用、投薬費用、検査費用、及び保険適用の有無を表す情報などが含まれる。
【００２４】
画像サーバ２０は、いわゆるＰＡＣＳ（Picture Archiving and Communication System for medical application）サーバである。この画像サーバ２０には、モダリティ１６からの医用画像２２の他に、例えば、ネットワークやメディアなどを介して他の医療施設から送られてきた医用画像２２などが保管される。画像サーバ２０に保管された各医用画像２２は、必要に応じて各診療科端末１０や読影レポート作成端末１２に読み出され、医師による読影や患者への説明などに用いられる。なお、医用画像２２には、モダリティ１６で撮影された検査画像の他に、例えば、イラストレーションによって描かれた解剖図などが含まれる。
【００２５】
レポートサーバ２４は、読影レポート作成端末１２によって電子データとして作成された読影レポート２６を保管し、各診療科端末１０からの要求に応じて保管した読影レポート２６を要求元の診療科端末１０に転送する。
【００２６】
図２は、診療科端末１０の構成を概略的に示すブロック図である。診療科端末１０は、周知のパーソナルコンピュータやワークステーションなどであり、診療科端末１０の各部を統括的に制御するＣＰＵ３０と、医用ネットワークシステム２に係る各種のプログラムなどを記憶するＨＤＤ３１と、医用画像２２や読影レポート２６などを表示するためのモニタ３２と、周知の入力デバイスであるマウス３３及びキーボード３４と、診療科端末１０をＬＡＮ１４に接続するための通信インタフェース（Ｉ／Ｆ）３５とを備えている。また、これらの各部は、バス３６によって互いに接続される。ＣＰＵ３０は、ＨＤＤ３１に記憶された各種のプログラムを読み出し、読み出したプログラムを逐次処理することによって、診療科端末１０を制御する。
【００２７】
図３は、読影レポート作成端末１２の構成を概略的に示すブロック図である。読影レポート作成端末１２は、周知のパーソナルコンピュータやワークステーションなどであり、読影レポート作成端末１２の各部を統括的に制御するＣＰＵ（関連付け情報作成手段）４０と、医用ネットワークシステム２に係る各種のプログラムなどを記憶するＨＤＤ４１と、種々の操作画面などを表示するためのメインモニタ４２と、医用画像２２を表示するための画像表示用モニタ４３と、周知の入力デバイスであるマウス４４及びキーボード４５と、読影レポート２６を作成するためのテンプレート５０（図４参照）を作成するテンプレート作成部（テンプレート作成手段）４６と、読影レポート作成端末１２をＬＡＮ１４に接続するための通信Ｉ／Ｆ４７とを備えている。また、これらの各部は、バス４８を介して互いに接続されている。ＣＰＵ４０は、ＨＤＤ４１に記憶された各種のプログラムを読み出し、読み出したプログラムを逐次処理することによって、読影レポート作成端末１２を制御する。
【００２８】
読影レポート作成端末１２は、２台のモニタ４２、４３を有する、いわゆるデュアルモニタ構成になっている。画像表示用モニタ４３には、医用画像２２を鮮明に表示できるように高精細なモニタが用いられる。読影医は、画像表示用モニタ４３に医用画像２２を表示して読影を行うとともに、メインモニタ４２に表示された画面を介して読影レポート２６の作成を行う。このように、２台のモニタ４２、４３を設け、医用画像２２の読影と読影レポート２６の作成とを、それぞれ別々の画面で行えるようにすることにより、検査部門６における読影業務の効率化を図ることができる。なお、読影レポート作成端末１２に設けられるモニタの数は、２つに限ることなく、１つでもよいし、３つ以上でもよい。
【００２９】
テンプレート作成部４６は、内部に記録したレイアウトデータ４９を基に、図４に示すテンプレート５０を作成する。テンプレート作成部４６は、読影医から所定の検査依頼の読影開始が指示されたことに応じてテンプレート５０を作成し、メインモニタ４２に表示する。テンプレート５０には、各種の情報を表示するための情報表示領域５１と、所見を入力するための所見入力領域５２とが設けられている。情報表示領域５１には、患者情報を表示する患者情報表示ボックス５３と検査情報を表示する検査情報表示ボックス５４とが設けられている。また、所見入力領域５２には、所見追加ボタン５５、完了ボタン５６、一覧表表示ボタン５７が設けられている。
【００３０】
レイアウトデータ４９は、これら各領域５１、５２、各表示ボックス５３、５４、及び各ボタン５５、５６、５７のレイアウトを規定するものである。テンプレート作成部４６は、レイアウトデータ４９に各種の情報を追加することにより、テンプレート５０を作成する。例えば、テンプレート作成部４６は、レイアウトデータ４９で規定された各表示ボックス５３、５４に、読影医が選択した検査依頼の検査に関する患者情報、検査情報を入力してテンプレート５０を作成する。このように、患者情報や検査情報を入力することで、読影医が患者名や撮影項目などを入力する手間を省くことができる。
【００３１】
所見入力領域５２は、第１テキストボックス６０、第２テキストボックス６１、第３テキストボックス６２などのように複数のテキストボックス６０、６１、６２が表示可能に構成されている。各テキストボックス６０、６１、６２は、マウス４４を操作し、所見追加ボタン５５をクリックすることによって所見入力領域５２に作成される。読影医は、テンプレート５０をメインモニタ４２に表示させた後、例えば、患部Ａ、患部Ｂ、患部Ｃなどのように、医用画像２２から読み取られた患部毎に各テキストボックス６０、６１、６２を作成する。そして、キーボード４５を介して各テキストボックス６０、６１、６２に所見を記入することにより、読影レポート２６を作成する。なお、図４では、３つのテキストボックス６０、６１、６２を示しているが、テキストボックスの数は、１つ又は２つ、あるいは４つ以上でもよく、読み取られた患部の数などに応じて適宜作成される。
【００３２】
完了ボタン５６は、読影レポート２６の作成終了を指示するためのものである。読影医は、各テキストボックス６０、６１、６２に所見を記入して読影レポート２６を完成させた後、完了ボタン５６をクリックして作成を終了する。ＣＰＵ４０は、完了ボタン５６がクリックされたことに応じて、作成された読影レポート２６をレポートサーバ２４に送信し、レポートサーバ２４に保管する。また、詳細は後述するが、一覧表表示ボタン５７は、一覧表１００（図１０参照）の表示を指示するためのものである。読影医は、読影レポート２６を作成するにあたって、必要に応じて一覧表表示ボタン５７をクリックし、メインモニタ４２に一覧表１００を表示する。
【００３３】
図５は、テンプレート５０を介して作成される読影レポート２６の構成を概略的に示す説明図である。読影レポート２６には、例えば、患者情報表示ボックス５３に表示される患者情報７０、検査情報表示ボックス５４に表示される検査情報７１、第１テキストボックス６０の構成を表す第１テキストボックス情報７２、第２テキストボックス６１の構成を表す第２テキストボックス情報７３、及び第３テキストボックス６２の構成を表す第３テキストボックス情報７４などが記録されている。第１テキストボックス情報７２は、例えば、第１テキストボックス６０を識別するための第１識別情報７２ａと、第１テキストボックス６０に記入された所見の文字列を表す第１所見情報７２ｂとで構成されている。なお、図５では省略しているが、他のテキストボックス情報７３、７４なども第１テキストボックス情報７２と同様に構成される。また、読影レポート２６に記録される情報は、上記に限るものではない。
【００３４】
ところで、病院などの医療施設では、病状の経過を観察するため、３ヶ月、６ヶ月、あるいは１年などの期間を空け、患者に対して検査を実施している。検査部門６では、再検査を行う場合、前回の検査で撮影された医用画像２２との比較が行えるように、前回の検査とほぼ同じ条件で撮影を行い、所望の患部に対する位置や表示状態が前回の医用画像２２と同じ状態の医用画像２２を取得する。
【００３５】
テンプレート作成部４６は、所定の検査依頼に対するテンプレート５０の作成が指示されると、情報管理サーバ１８にアクセスする。そして、その検査依頼に含まれる患者情報７０や検査情報７１を基に情報管理サーバ１８を検索し、当該患者に対して同じ条件の検査が行われているか否かを確認することによって、その検査依頼が初回検査によるものであるか、再検査によるものであるかを判定する。
【００３６】
テンプレート作成部４６は、検査依頼が初回検査によるものであると判定した場合、その検査依頼に含まれる患者情報７０と検査情報７１とをレイアウトデータ４９に入力することにより、テンプレート５０を作成する。これにより、各表示ボックス５３、５４に患者情報７０、検査情報７１が表示され、所見入力領域５２が空欄の状態のテンプレート５０がメインモニタ４２に表示される。読影医は、初回検査による医用画像２２の読影が依頼された場合、前述のように、各テキストボックス６０、６１、６２の作成、及びこれらに対する所見の記入を行って、読影レポート２６を作成する。
【００３７】
一方、テンプレート作成部４６は、検査依頼が再検査によるものであると判定した場合、レポートサーバ２４にアクセスし、その検査依頼の前回の検査で作成された読影レポート２６（以下、前回レポート８０と称す）をレポートサーバ２４から読み出す。テンプレート作成部４６は、前回レポート８０を読み出すと、検査依頼に含まれる患者情報７０と検査情報７１とをレイアウトデータ４９に入力するとともに、図６に示すように、前回レポート８０に含まれる各テキストボックス情報７２、７３、７４をレイアウトデータ４９にコピーすることにより、テンプレート５０を作成する。
【００３８】
これにより、各表示ボックス５３、５４に患者情報７０、検査情報７１が表示され、かつ所見入力領域５２に前回レポート８０で作成された各テキストボックス６０、６１、６２が設けられた状態のテンプレート５０がメインモニタ４２に表示される。従って、この場合には、前回レポート８０で各テキストボックス６０、６１、６２に記入された所見を書き換えるだけで、簡便に読影レポート２６の作成を行うことができる。
【００３９】
また、現在の医用画像２２の読影によって新たな患部が読み取られることも考えられる。このような場合、読影医は、所見追加ボタン５５をクリックしてテキストボックスを追加し、新たな患部に対する所見を記入する。さらに、手術によって患部を切除した場合や、薬剤の投与によって患部が治癒した場合などには、患部が読み取られなくなってしまうことも考えられる。このような場合、読影医は、前回レポート８０で各テキストボックス６０、６１、６２に記入された所見を消去する。なお、所見を消去した場合には、そのテキストボックス情報から所見情報が削除され、識別情報だけが含まれる状態でテキストボックス情報が読影レポート２６に記録される。
【００４０】
例えば、初回検査の読影で患部Ａと患部Ｂとが読み取られた場合には、図７に示すように、第１テキストボックス６０と第２テキストボックス６１とが作成され、それぞれに患部Ａに対する所見と患部Ｂに対する所見とが記入されて読影レポート２６が作成される。この読影レポート２６を前回レポート８０として１回目の経過観察の検査に対する読影レポート２６が作成される場合には、前述のように、各テキストボックス情報７２、７３がコピーされ、第１テキストボックス６０と第２テキストボックス６１とが設けられたテンプレート５０が作成される。１回目の経過観察の検査で患部Ａと患部Ｃとが読み取られた場合には、第１テキストボックス６０に記入された所見が書き換えられ、第２テキストボックス６１に記入された所見が消去されるとともに、第３テキストボックス６２が追加され、患部Ｃに対する所見が記入される。
【００４１】
そして、この１回目の経過観察で作成された読影レポート２６を前回レポート８０として２回目の経過観察の検査に対する読影レポート２６が作成される場合には、各テキストボックス６０、６１、６２が設けられたテンプレート５０が作成される。この際、１回目の経過観察で所見が消去された第２テキストボックス６１は、ボックスの枠のみが作成される。読影医は、後の経過観察において患部Ｂの再発を確認した際に、第２テキストボックス６１に再び患部Ｂに対する所見を記入する。経過観察の検査では、このように読影レポート２６の作成が行われる。なお、これ以降では、前回レポート８０よりも前の経過観察の検査で作成された読影レポート２６を過去レポート８２と称す。
【００４２】
読影レポート作成端末１２のＣＰＵ４０は、テンプレート作成部４６が前回レポート８０に含まれる各テキストボックス情報７２、７３、７４をレイアウトデータ４９にコピーしてテンプレート５０を作成した際に、前回レポート８０の各テキストボックス情報７２、７３、７４と、テンプレート５０を介して新たに作成される現在の読影レポート２６の各テキストボックス情報７２、７３、７４とを関連付ける関連付け情報８４を作成する。
【００４３】
関連付け情報８４は、例えば、図８に示すように、前回レポート８０の第１テキストボックス情報７２に含まれる第１識別情報７２ａと、これをコピーして作成された現在の読影レポート２６の第１テキストボックス情報７２に含まれる第１識別情報７２ａとを同じ行に並べ、これを各テキストボックス情報７２、７３、７４毎に作成した表形式のデータとして作成される。
【００４４】
このように、関連付け情報８４を作成することにより、経過観察の検査が行われた際に、各回の同一の患部に対する所見を関連付けることができる。関連付け情報８４は、例えば、読影レポート２６の識別ＩＤなどがメタデータとして記録されることにより、現在の読影レポート２６と対応付けられる。また、作成された関連付け情報８４は、読影レポート２６とともに、レポートサーバ２４に保管される。
【００４５】
図９は、レポートサーバ２４の構成を概略的に示すブロック図である。レポートサーバ２４は、レポートサーバ２４の各部を統括的に制御するＣＰＵ９０と、医用ネットワークシステム２に係る各種のプログラムなどを記憶するストレージユニット９１と、一覧表１００を作成する一覧表作成部（一覧表作成手段）９２と、レポートサーバ２４をＬＡＮ１４に接続するための通信Ｉ／Ｆ９３とを備えている。また、これらの各部は、バス９４を介して互いに接続されている。ＣＰＵ９０は、ストレージユニット９１に記憶された各種のプログラムを読み出し、読み出したプログラムを逐次処理することによって、レポートサーバ２４を制御する。
【００４６】
ストレージユニット９１には、読影レポート作成端末１２で作成された各読影レポート２６を保管するレポートデータベース（ＤＢ）９５と、読影レポート作成端末１２で作成された関連付け情報８４を保管する関連付け情報ＤＢ９６とが構築されている。ストレージユニット９１は、例えば、複数のＨＤＤを連装したディスクアレイである。なお、本例では、各種のプログラムや読影レポート２６などを同じストレージユニット９１に保管するようにしているが、これに限ることなく、例えば、それぞれを個別のストレージユニットに保管するようにしてもよい。
【００４７】
一覧表作成部９２は、レポートＤＢ９５に保管された各読影レポート２６、及び関連付け情報ＤＢ９６に保管された各関連付け情報８４を基に、図１０に示す一覧表１００を作成する。一覧表１００は、経過観察における各患部の経時的な症状の変化を示すものであり、図１０では、経過観察の各検査の検査実施日が各列に入力され、経過観察の各検査で読み取られた各患部が各行に入力されて構成されている。
【００４８】
一覧表１００の作成は、読影レポート作成端末１２のメインモニタ４２に表示されるテンプレート５０の一覧表表示ボタン５７をクリックすることによって指示される。読影レポート作成端末１２のＣＰＵ４０は、一覧表表示ボタン５７がクリックされたことに応じて、当該検査依頼の患者情報７０や検査情報７１などからなる一覧表作成要求をレポートサーバ２４に送信する。レポートサーバ２４のＣＰＵ９０は、一覧表作成要求を受信すると、その一覧表作成要求を一覧表作成部９２に入力し、一覧表１００の作成を指示する。
【００４９】
一覧表作成部９２は、一覧表１００の作成が指示されると、情報管理サーバ１８にアクセスし、一覧表作成要求に含まれる患者情報７０や検査情報７１を基に、当該検査依頼の経過観察に係わる各検査を確認する。各検査を確認した一覧表作成部９２は、当該検査依頼の前回レポート８０、及び過去レポート８２をレポートＤＢ９５から読み出すとともに、各レポート８０、８２のそれぞれに対応する各関連付け情報８４を関連付け情報ＤＢ９６から読み出す。なお、経過観察の検査が２回以上行われている場合には、各検査に応じた複数の過去レポート８２がレポートＤＢ９５から読み出される。また、当該検査依頼が初回検査である場合には、一覧表表示ボタン５７をクリックできないようにしてもよいし、一覧表表示ボタン５７がクリックされた後、警告を行うようにしてもよい。
【００５０】
一覧表作成部９２は、各レポート８０、８２、及び各関連付け情報８４を読み出すと、先ず、前回レポート８０に含まれる各テキストボックス情報を参照し、経過観察の各検査によって読み取られた各患部を確認する。そして、一覧表作成部９２は、確認した各患部と、各レポート８０、８２に含まれる検査実施日の情報とを基に、図１１（ａ）に示すように、一覧表１００のレイアウトを決定する。
【００５１】
一覧表作成部９２は、一覧表１００のレイアウトを決定すると、前回レポート８０の各テキストボックス情報に含まれる所見情報を参照し、各患部に対する所見が記入されているか否かを判定する。一覧表作成部９２は、所見が記入されている場合、対応する欄に所見が記入されていることを示すマークを入力する。一方、一覧表作成部９２は、所見が記入されていない場合、対応する欄を空欄のままにする。また、一覧表作成部９２は、所見に数値情報が含まれている場合（図４の第１テキストボックス６０参照）、この数値情報を抽出し、抽出した数値情報を対応する欄に入力する。一覧表作成部９２は、こうして、図１１（ｂ）に示すように、前回レポート８０に対応する欄を完成させる。
【００５２】
前回レポート８０に対応する欄を完成させた一覧表作成部９２は、次に、１回前の検査の過去レポート８２の各テキストボックス情報に含まれる所見情報を参照し、各患部に対する所見が記入されているか否かを判定する。そして、判定を行った一覧表作成部９２は、関連付け情報８４を基に、１回前の過去レポート８２に記入された各患部が、前回レポート８０に記入された各患部のどれに関連しているかを確認し、前述のように対応する欄にマークを入力する。一覧表作成部９２は、こうして、図１１（ｃ）に示すように、１回前の検査の過去レポート８２に対応する欄を完成させる。一覧表作成部９２は、各回の検査の過去レポート８２に対してこれを繰り返すことにより、図１０に示すように一覧表１００を完成させる。
【００５３】
一覧表作成部９２は、一覧表１００を完成させると、その一覧表１００を読影レポート作成端末１２に転送する。読影レポート作成端末１２のＣＰＵ４０は、一覧表１００を受信すると、その一覧表１００をテンプレート５０とともにメインモニタ４２に表示する。このように、一覧表１００を表示すると、経過観察における各患部の経時的な症状の変化を読影医に一目で把握させることができる。
【００５４】
次に、図１２に示すフローチャートを参照しながら、上記構成による医用ネットワークシステム２の作用について説明する。検査部門６に在籍する読影医は、読影レポート作成端末１２を介して医用画像２２の読影、及び読影レポート２６の作成を行う。読影医は、読影レポート作成端末１２のメインモニタ４２に表示される選択画面（図示は省略）から特定の検査依頼を選択することにより、読影を開始する。
【００５５】
特定の検査依頼を選択して読影を開始すると、読影レポート作成端末１２のＣＰＵ４０が、テンプレート作成部４６にテンプレート５０の作成を指示する。テンプレート５０の作成が指示されたテンプレート作成部４６は、先ず、その検査依頼が初回検査によるものであるか、経過観察の再検査によるものであるかを判定する。
【００５６】
テンプレート作成部４６は、検査依頼が初回検査によるものであると判定した場合、その検査依頼に含まれる患者情報７０と検査情報７１とをレイアウトデータ４９に入力することにより、テンプレート５０を作成する。テンプレート５０を作成したテンプレート作成部４６は、そのテンプレート５０をメインモニタ４２に表示する。読影医は、各テキストボックス６０、６１、６２などの作成、及びこれらに対する所見の記入を行って、読影レポート２６を作成する。
【００５７】
一方、テンプレート作成部４６は、検査依頼が再検査によるものであると判定した場合、レポートサーバ２４にアクセスし、その検査依頼の前回レポート８０をレポートサーバ２４から読み出す。テンプレート作成部４６は、前回レポート８０を読み出すと、検査依頼に含まれる患者情報７０と検査情報７１とをレイアウトデータ４９に入力するとともに、前回レポート８０に含まれる各テキストボックス情報７２、７３、７４などをレイアウトデータ４９にコピーすることにより、テンプレート５０を作成する。テンプレート５０を作成したテンプレート作成部４６は、そのテンプレート５０をメインモニタ４２に表示する。
【００５８】
また、テンプレート作成部４６が前回レポート８０に含まれる各テキストボックス情報７２、７３、７４などをレイアウトデータ４９にコピーしてテンプレート５０を作成すると、前回レポート８０と現在の読影レポート２６との各テキストボックス情報７２、７３、７４などを関連付ける関連付け情報８４がＣＰＵ４０によって作成される。
【００５９】
読影医は、前回レポート８０で各テキストボックス６０、６１、６２に記入された所見の書き換えや消去、及び新たな所見の記入などを行って、読影レポート２６を作成する。また、読影医は、読影レポート２６を作成する際、必要に応じて一覧表表示ボタン５７をクリックする。一覧表表示ボタン５７をクリックすると、レポートサーバ２４に一覧表１００の作成が要求される。レポートサーバ２４は、一覧表１００の作成が要求されると、前述のように一覧表１００を作成し、読影レポート作成端末１２に転送する。読影レポート作成端末１２のＣＰＵ４０は、一覧表１００を受信すると、その一覧表１００をテンプレート５０とともにメインモニタ４２に表示する。
【００６０】
所見の記入などを行って読影レポート２６を完成させた読影医は、完了ボタン５６をクリックし、読影レポート２６の作成を終了する。読影レポート２６の作成を終了すると、作成された読影レポート２６、及び関連付け情報８４がレポートサーバ２４に送信される。レポートサーバ２４は、読影レポート２６、及び関連付け情報８４を受信すると、それぞれを各ＤＢ９５、９６に保管する。
【００６１】
上述のように、一覧表１００を表示することで、経過観察における各患部の経時的な症状の変化を読影医に一目で把握させることができる。具体的には、図１０の一覧表を参照することによって、患部Ｄが前回の検査で再発していることや、患部Ｅが前回の検査で初めて発症したことなどを、読影医に一目で認識させることができる。また、患部Ｃのように過去に発症していた病変も一目で認識させることもできる。さらには、患部Ａのように、一覧表１００に数値情報を入力するようにすれば、経過観察における腫瘍や動脈瘤などの大きさの変化を一目で認識させることもできる。
【００６２】
このように、各患部の経時的な症状の変化を読影医に即座に認識させることによって、現在の検査に対する読影レポート２６の作成の効率化を図り、レポート作成を支援することができる。また、過去に発症した患部などを認識させることによって読影する観点の見落としを防ぐこともできる。
【００６３】
なお、上記実施形態では、一覧表１００を参照することで、現在の検査に対する読影を行うに当たっての注目すべき観点を認識することができるが、読影レポート２６を作成するためのテンプレート５０を参照しただけで注目すべき観点を認識できるようにした方が、より好ましい。
【００６４】
このため、関連付け情報８４に基づいて、図１３に示すように、注目すべき患部のテキストボックスを強調表示したり、注目すべき患部のテキストボックスに対して注意を促すための忠告文１０２を表示したりするようにしてもよい。なお、図１３では、前回の検査で初めて発症した患部Ｅのテキストボックスを強調表示しているが、強調表示を行うテキストボックスは、これに限るものではない。また、強調表示の方法は、図１３に示すように、表示色を変えるものでもよいし、マークを表示するものなどでもよい。
【００６５】
また、忠告文１０２は、例えば、「２００５年６月１１日以降、１０回目の所見です。」、「２００５年９月１５日以降、５回目の所見です。２００７年３月１２日に再発しました。」、「前回２００７年６月８日に発症しました。」などのように、関連付け情報８４から読み取れる再発などの各患部の状況を基に所定のフォーマット（定型文）を選択し、このフォーマットに検査実施日や回数の情報などを入力することによって構成すればよい。
【００６６】
なお、上記実施形態では、各テキストボックス情報７２、７３、７４をレイアウトデータ４９にコピーしてテンプレート５０を作成した際に、関連付け情報８４を作成し、各検査の同一の患部に対する所見を関連付けるようにしたが、これに限ることなく、例えば、読影レポート２６に記入された自然文を解析することによって、同一の患部に対する所見を関連付けるようにしてもよい。また、自然文を解析して関連付けを行う際には、例えば、ＣＴ装置による検査とＭＲＩ装置による検査などのように、異なる種類の検査から読み取られた同一の患部に対する所見を関連付けるようにしてもよい。
【００６７】
また、上記実施形態では、読影レポート２６に記入するコメントとして画像から確認できる状況を示す所見を示したが、コメントは、これに限ることなく、例えば、所見から導かれる病状や印象などを示す診断結果や、今後の対応案などであってもよい。さらに、上記実施形態では、医用画像２２から読み取られる特徴点として、患部を示したが、特徴点は、これに限ることなく、例えば、患部であるとは断定できない異常陰影などであってもよい。
【００６８】
また、上記実施形態では、読影レポート作成端末１２で読影レポート２６を作成する際に、一覧表１００を表示する例を示したが、これに限ることなく、例えば、診療科端末１０で依頼医が読影レポート２６を参照する際に、一覧表１００を表示するようにしてもよい。なお、この際には、現在の検査で読み取られた各患部の情報も一覧表１００に含めることが好ましい。また、上記実施形態では、レポートサーバ２４で一覧表１００を作成するようにしたが、これに限ることなく、例えば、読影レポート作成端末１２で一覧表１００を作成するようにしてもよい。
【００６９】
なお、上記実施形態では、患者を被検体とする医用ネットワークシステム２に本発明を適用した例を示したが、本発明は、これに限ることなく、例えば、動物などを被検体として検査するシステムや、物品を被検体として非破壊検査を行うシステムなどに適用してもよい。また、上記実施形態では、１つの医療施設内で用いられるシステムに本発明を適用した例を示したが、本発明は、これに限ることなく、例えば、複数の医療施設をネットワークを介して接続することにより構築されるシステムに本発明を適用してもよい。また、上記実施形態では、医用画像２２を撮影して読影を行う画像診断の検査を行って、読影レポート２６を作成する例を示したが、本発明は、これに限ることなく、例えば、血液や尿などの生化学検査を行って、これらの検査結果を示すレポートを作成する際に適用してもよい。さらに、本発明は、プログラムの態様で構成されるものであってもよい。
【図面の簡単な説明】
【００７０】
【図１】医用ネットワークシステムの構成を概略的に示す説明図である。
【図２】診療科端末の構成を概略的に示すブロック図である。
【図３】読影レポート作成端末の構成を概略的に示すブロック図である。
【図４】テンプレートの一例を示す説明図である。
【図５】読影レポートの構成を概略的に示す説明図である。
【図６】テキストボックス情報をコピーしてテンプレートを作成する例を示す説明図である。
【図７】経過観察における読影レポートの作成手順の一例を示す説明図である。
【図８】関連付け情報の構成を概略的に示す説明図である。
【図９】レポートサーバの構成を概略的に示すブロック図である。
【図１０】一覧表の一例を示す説明図である。
【図１１】一覧表の作成手順の一例を示す説明図である。
【図１２】読影レポートの作成手順を概略的に示すフローチャートである。
【図１３】強調表示及び忠告文の表示を行ったテンプレートを示す説明図である。
【符号の説明】
【００７１】
２  医用ネットワークシステム（レポート作成支援システム）
１２  読影レポート作成端末
２２  医用画像
２６  読影レポート
４０  ＣＰＵ（関連付け情報作成手段）
４６  テンプレート作成部（テンプレート作成手段）
５０  テンプレート
６０  第１テキストボックス（記入欄）
６１  第２テキストボックス（記入欄）
６２  第３テキストボックス（記入欄）
８０  前回レポート
８２  過去レポート
８４  関連付け情報
９２  一覧表作成部（一覧表作成手段）
１００  一覧表
１０２  忠告文
【図１】
0005172262.tif 000002
【図２】
0005172262.tif 000003
【図３】
0005172262.tif 000004
【図４】
0005172262.tif 000005
【図５】
0005172262.tif 000006
【図６】
0005172262.tif 000007
【図７】
0005172262.tif 000008
【図８】
0005172262.tif 000009
【図９】
0005172262.tif 000010
【図１０】
0005172262.tif 000011
【図１１】
0005172262.tif 000012
【図１２】
0005172262.tif 000013
【図１３】
0005172262.tif 000014